(57)【特許請求の範囲】
【請求項１】
テープ長手方向に沿って延設され、切り裂き可能に薄肉形成された凹条部を備えるカットテープであって、
ほぼ平行に配置された二以上の前記凹条部を備え、テープ長手方向に沿って少なくとも三条に切り裂き可能に形成され、
前記凹条部よりも厚肉形成されるとともに、取り付け面となる二つの側面をそれぞれ有する三以上の凸条部を備え、
当該カットテープの取り付けられる包装袋の中央部において、
前記三以上の凸条部におけるテープ幅方向の両端に位置する二の凸条部のうち一方の凸条部は、
二つの側面のそれぞれが剥離不能に取り付けられ、
前記二の凸条部のうち他方の凸条部は、
剥離不能に取り付けられる一方の側面と、取り付けられない他方の側面とを有し、
前記二の凸条部に挟まれる少なくとも一の凸条部は、
剥離可能に取り付けられる一方の側面と、剥離不能に取り付けられる他方の側面とを有する
ことを特徴とするカットテープ。
【請求項２】
前記凹条部を少なくとも一方のカットテープに備える一対のカットテープであって、
一対のカットテープのうちの少なくとも一方のカットテープが、請求項１記載のカットテープからなる
ことを特徴とするカットテープ。
【請求項３】
前記一方のカットテープと対になる他方のカットテープは、前記凹条部を有しない
ことを特徴とする請求項２記載のカットテープ。
【請求項４】
前記一方のカットテープと対となる他方のカットテープは、一の前記凹条部を有する
ことを特徴とする請求項２記載のカットテープ。
【請求項５】
互いに雄雌咬合する咬合部を一対のテープ基部に有するジッパーテープであって、
少なくとも一方における前記テープ基部の幅方向一端に、請求項１〜４のいずれか一項に記載のカットテープを備えた
ことを特徴とするジッパーテープ。
【請求項６】
請求項１〜４のいずれか一項に記載のカットテープ、又は、請求項５記載のジッパーテープを、その開口部に取り付けたことを特徴とする包装袋。
【請求項７】
カットテープが取り付けられた包装袋であって、
前記カットテープは、
テープ長手方向に沿って延設され、ほぼ平行に配置された二以上の凹条部を備え、テープ長手方向に沿って少なくとも三条に切り裂き可能に形成され、
前記凹条部よりも厚肉形成されるとともに、前記包装袋の内面に取り付け可能な取り付け面となる二つの側面をそれぞれ有する三以上の凸条部を備え、
前記三以上の凸条部において少なくとも二の凸条部のそれぞれ二つの側面は、前記包装袋の内面に取り付けられた
ことを特徴とする包装袋。
【請求項８】
カットテープが取り付けられた包装袋であって、
前記カットテープは、
テープ長手方向に沿って延設され、ほぼ平行に配置された二以上の凹条部を備え、テープ長手方向に沿って少なくとも三条に切り裂き可能に形成され、
前記凹条部よりも厚肉形成されるとともに、前記包装袋の内面に取り付け可能な取り付け面となる二つの側面をそれぞれ有する三以上の凸条部を備え、
前記包装袋の中央部において、
前記三以上の凸条部におけるテープ幅方向の両端に位置する二の凸条部のうち一方の凸条部は、
二つの側面のそれぞれが剥離不能に前記包装袋の内面に取り付けられ、
前記二の凸条部のうち他方の凸条部は、
剥離不能に前記包装袋の内面に取り付けられた一方の側面と、前記包装袋の内面に取り付けられない他方の側面とを有し、
前記二の凸条部に挟まれる少なくとも一の凸条部は、
剥離可能に前記包装袋の内面に取り付けられた一方の側面と、剥離不能に前記包装袋の内面に取り付けられた他方の側面とを有する
ことを特徴とする包装袋。
【発明の詳細な説明】
【技術分野】
【０００１】
本発明は、包装袋の開口部に設けられるカットテープ、ジッパーテープ、及びこれらのテープを備える包装袋に関し、特に、一の形態を有しながらも、それぞれ態様の異なる複数の開封形式に対応可能なカットテープ、ジッパーテープ、及び包装袋に関する。
【背景技術】
【０００２】
従来から、食品等の内容物を収納する容器として、例えば、２枚のフィルムの周縁をヒートシールして平袋や自立袋などの袋状に形成した包装袋が普及している。
【０００３】
このような包装袋は、内容物の取り出しにあたり、開口部を切断して開封するようになっている。
そのため、開口部にはその端部に切り欠き部（ノッチ）が形成され、このノッチを境に開口部を前後に切り裂くような切り裂き力を作用させることで、開口部が開封されるようになっている。
【０００４】
ところが、切り裂き方向と、フィルムの配向方向とは必ずしも一致しないため、切り口がきれいな直線状にはならなかった。
そこで、切り口を直線状にすべく、カットテープを開口部に取り付けた包装袋がある（例えば、特許文献１，２）。
このカットテープは、開口部の切り裂き方向を案内するためのガイド機能を有し、切り裂き可能に薄肉形成された凹条部をテープ長手方向に有していることから、開口部を凹条部に沿って切り裂くことで、直線状のきれいな切り口が形成されることになる。
【先行技術文献】
【特許文献】
【０００５】
【特許文献１】ＷＯ２００８／０３５４９４号
【特許文献２】ＷＯ２０１１／０４９０８９号
【発明の概要】
【発明が解決しようとする課題】
【０００６】
しかしながら、従来のカットテープには、以下のような問題があった。
包装袋は、その用途や機能に応じてその開封形式も異なり、例えば、前述の切り裂き開封形式の他に、テープの一端を摘んで引っ張ることで開口部を開封させる引っ張り開封形式（ポケット開封タイプ）がある（図２参照）。
また、切り裂き開封形式でも、切り口の高さを揃えるタイプと、内容物を取り出しやすくするために切り口に段差を設けるタイプとがある。
【０００７】
このような開封形式は、包装袋の用途、機能に応じて適宜選択されるものの、開封形式の多様化に伴い、カットテープの形態も多様化することになる。
すなわち、カットテープは、それぞれの開封形式に合った最適な形態が求められることから、それぞれ形態の異なるカットテープが複数種類存在することになる。
このようなテープ形態の多様化は、テープ形態ごとの重複製造及び重複管理を強いることになり、コストを上昇させる要因となっていた。
【０００８】
本発明は、上記の事情にかんがみなされたものであり、一の形態で、切り裂き開封のみならず引張り開封も可能とし、さらに、切り裂き開封において、切り口の態様を選択可能としたカットテープ、ジッパーテープ、及び包装袋を提供する。
【課題を解決するための手段】
【０００９】
上記目的を達成するため本発明のカットテープは、テープ長手方向に沿って延設され、切り裂き可能に薄肉形成された凹条部を備えるカットテープであって、ほぼ平行に配置された二以上の前記凹条部を備え、テープ長手方向に沿って少なくとも三条に切り裂き可能に形成された
構成としてある。
【００１０】
また、本発明のジッパーテープは、互いに雄雌咬合する咬合部を一対のテープ基部に有するジッパーテープであって、少なくとも一方における前記テープ基部の幅方向一端に、上記のカットテープを備えた構成としてある。
【００１１】
また、本発明の包装袋は、所定の内容物を収納可能な包装袋であって、上記のカットテープ、又は、上記のジッパーテープを、その開口部に取り付けた構成としてある。
【発明の効果】
【００１２】
本発明によれば、テープの取り付け態様、凹条部の配置及びその厚薄の組合せによって、切り裂き開封のみならず引っ張り開封も可能とし、さらに、切り裂き開封したときの切り口の高さを揃えるか、又は段差を設けるかのいずれかの態様を選択可能とすることで、一のテープ形態でありながらも複数の開封形式に対応することができる。
【図面の簡単な説明】
【００１３】
【図１】本発明の一実施形態に係るカットテープの断面図である。
【図２】本発明の一実施形態に係るカットテープを取り付けた包装袋の斜視図である。
【図３】本発明の一実施形態に係るカットテープを取り付けた包装袋において、図（ａ）は、図２のＡ−Ａ断面図であり、図（ｂ）は、図２のＢ−Ｂ断面図である。
【図４】本発明の一実施形態に係る一対のカットテープとして、凹条部を有するカットテープと凹条部を有しないカットテープを取り付けた包装袋において、図２のＡ−Ａに相当する断面図である。
【図５】本発明の一実施形態に係る一対のカットテープとして、それぞれ凹条部を有するカットテープを取り付けた包装袋において、図２のＡ−Ａに相当する断面図である。
【図６】本発明の一実施形態に係るジッパーテープを取り付けた包装袋において、図２のＡ−Ａに相当する断面図である。
【図７】本発明の一実施形態に係るジッパーテープを取り付けた包装袋において、図２のＡ−Ａに相当する断面図である。
【図８】本発明の一実施形態に係るジッパーテープを取り付けた包装袋において、図２のＡ−Ａに相当する断面図である。
【図９】本発明の他の実施形態に係るジッパーテープの断面図である。
【発明を実施するための形態】
【００１４】
以下、本実施形態のカットテープ１０Ａ，１Ａ，１Ｂ、ジッパーテープ２Ａ，２Ｂ，２Ｃ、及び包装袋１００（１００Ａ〜１００Ｆ）について図１〜図８を参照しながら説明する。
【００１５】
［カットテープ及びジッパーテープ］
本発明の実施形態に係るカットテープ１０Ａ，１Ａ，１Ｂ、及びジッパーテープ２Ａ，２Ｂ，２Ｃは、図１〜８に示すように、樹脂製のフィルム１０１，１０２からなる包装袋１００（１００Ａ〜１００Ｆ）の開口部１１０に取り付けられるテープでありながら、テープの取り付け態様、テープ基部１１，２１の長手方向に沿って凹設された凹条部１２，１３，２２の配置及びその厚薄の組合せによって、複数の開封形式に対応できるようになっている。
最初に、これらのカットテープ１０Ａ，１Ａ，１Ｂ、及びジッパーテープ２Ａ，２Ｂ，２Ｃに共通する特徴的な構成について説明する。
【００１６】
カットテープ１０Ａは、図１に示すように、ベースとなる断面略矩形状のテープ基部１１を備え、テープ基部１１には、特徴的な形態として、テープ長手方向に沿って凹設された凹条１２，１３部が複数形成されている。
凹条部１２，１３は、テープ基部１１に対してそれぞれ薄肉形成された部位であって、この薄肉形成によって付与される脆弱性により、凹条部１２，１３に沿ったカットテープ１０Ａの切り裂きが可能となる。
【００１７】
カットテープ１０Ａは、凹条部１２と、これにほぼ平行に配置された（例えば、約５ｍｍの間隔をおいて平行）凹条部１３とからなる二条の凹条部を備えている。
これにより、凹条部１２，１３に沿った切り裂きにより、テープ基部１１が凹条部１２，１３よりも厚肉形成された凸条部１１ａ，１１ｂ，１１ｃの少なくとも三条に分割可能となる。
【００１８】
また、カットテープ１０Ａは、各凸条部１１ａ，１１ｂ，１１ｃに、側面１１ａ−１，２〜１１ｃ−１，２を有している。
側面１１ａ−１，２〜１１ｃ−１，２は、取り付け面となる部分であって、これらの側面が熱プレス等により、包装袋１００を構成するフィルム１０１，１０２などに融着されることで、カットテープ１０Ａが包装袋１００の開口部１１０に取り付けられることになる。
また、これらの側面１１ａ−１，２〜１１ｃ−１，２と、フィルム１０１，１０２との融着の組合せに応じて、開封形式の多様化が実現されるようになっている。
【００１９】
そして、このカットテープ１０Ａのみならず、このカットテープ１０Ａが一方に設けられた一対のカットテープ１Ａ，１Ｂ、及びこのカットテープ１０Ａが一端に設けられたジッパーテープ２Ａ，２Ｂ，２Ｃがこのような特徴的な形態を共有することにより、凹条部１２，１３と、テープの取り付け態様となる各側面１１ａ−１，２〜１１ｃ−１，２それぞれの融着の有無との組合せに応じて、以下に示すように、複数の開封形式に対応できるようになっている。
【００２０】
［カットテープ］
まず、カットテープ１０Ａ，１Ａ，１Ｂを、包装袋１００（１００Ａ〜１００Ｃ）の開口部１１０に取り付けた実施例１〜３について、図２〜５を参照しながら説明する。
【００２１】
図２は、カットテープ１０Ａを、包装袋１００Ａの開口部１１０に取り付けた実施例１である。図３（ａ）は図２のＡ−Ａ断面図であり、図３（ｂ）は図２のＢ−Ｂ断面図である。
この実施例１では、包装袋１００Ａのサイドシール部１２０においては、図３（ａ）に示すように、側面１１ｂ−２以外はタイトシール層（強固着層）を介して剥離不能に融着状態とし、側面１１ｂ−２はイージーピール層（易剥離層）を介して剥離可能に融着状態としてある。
具体的には、側面１１ａ−１，１１ｂ−１，１１ｃ−１をフィルム１０１の内側１０１ａに、側面１１ａ−２，１１ｃ−２をフィルム１０２の内側１０２ａにタイトシール層を介して融着させる一方、側面１１ｂ−２をフィルム１０２の内側１０２ａにイージーピール層を介して融着させた構成としてある。
なお、図３〜８において、タイトシール層を介した融着状態を太実線で示し、イージーピール層を介した融着状態を太波線で示すものとする。
【００２２】
一方、包装袋１００Ａの中央部１３０（サイドシール部１２０以外）においては、図３（ｂ）に示すように、側面１１ａ−１，１１ｂ−１，１１ｃ−１をフィルム１０１の内側１０１ａに、側面１１ａ−２をフィルム１０２の内側１０２ａにタイトシール層を介して融着させるとともに、側面１１ｂ−２をフィルム１０２の内側１０２ａにイージーピール層を介して融着させ、側面１１ｃ−２をフィルム１０２の内側１０２ａに融着させない構成としてある。
【００２３】
このような融着の有無の組合せと、カットテープ１０Ａの有する特徴的な形態により、以下に示すように複数の開封形式に対応できるようになっている。
【００２４】
例えば、凹条部１２に対応する線上（Ａ１−Ａ２）を作用点とする切り裂き力を開口部１１０に加えることで、凹条部１２が切断線となり、高さの揃った直線カットタイプの切り口Ａ１−Ａ２が形成されることになる。
また、凹条部１３に対応する線上（Ｂ１−Ｂ２）を作用点とする切り裂き力を開口部１１０に加えることで、凹条部１３が切断線となり、高さの揃った直線カットタイプの切り口Ｂ１−Ｂ２が形成されることになる。
また、凹条部１２と凹条部１３との間に挟まれた帯状領域（凸条部１１ｂ）の一端部を包装袋１００Ａの外方（フィルム１０１側）に引っ張る、引張り力を加えることで、凹条部１２と凹条部１３が切断線となり、ポケット開封タイプの切り口Ｃ１−Ｃ２が形成されることになる。
【００２５】
なお、図３（ｂ）に示す図中、カットテープ１０Ａの側面１１ｂ−２を、側面１１ｃ−２と同様、融着させない形態とした場合には、以下のような開封形式に対応することが可能となる。
具体的には、フィルム１０１、１０２に、開口部１１０の開封を容易にするための、例えば、レーザー照射により薄肉形成されたハーフカット線（不図示）を設けることで、段差を有する切り口を以下のように形成することもできる。
【００２６】
例えば、フィルム１０１においてＡ１−Ａ２に対応する部分ａ１と、フィルム１０２においてＢ１−Ｂ２に対応する部分ｂ２とにハーフカット線を設け、凹条部１２に対応する線上（Ａ１−Ａ２）を作用点とする切り裂き力を開口部１１０に加えることで、段差を有する段違いカットタイプの切り口Ａ１−Ｂ２を形成することができる。
【００２７】
同様に、フィルム１０１においてＢ１−Ｂ２に対応する部分ｂ１と、フィルム１０２においてＡ１−Ａ２に対応する部分ａ２に、ハーフカット線を設け、凹条部１３に対応する線上（Ｂ１−Ｂ２）を作用点とする切り裂き力を開口部１１０に加えることで、段差を有する段違いカットタイプの切り口Ｂ１−Ａ２を形成することもできる。
【００２８】
このように実施例１の包装袋１００Ａは、カットテープ１０Ａを、上述した融着の組合せで開口部１１０に取り付けることで、複数の開封形式に対応できるようになっている。
さらに、フィルム１０１，１０２において各凹条部１２，１３に対応する部分ａ１，ａ２，ｂ１，ｂ２に、脆弱な領域（例えば、ハーフカット線）を所定の組合せで設けることにより、各凹条部１２，１３間で段差を有する切り口を形成することもできる。
なお、上記実施例１では、包装袋１００Ａの中央部１３０において、側面１１ａ−２をタイトシール層を介して融着状態としたが、非融着状態としてもよい。
【００２９】
図４は、カットテープ１０Ａと、凹条部を有しないカットテープ２０Ａとの組合せからなる一対のカットテープ１Ａを、包装袋１００Ｂの開口部１１０に対向させて取り付けた実施例２である。なお、図４は、図２におけるＡ−Ａに相当する断面図で、包装袋１００Ｂのサイドシール部１２０における断面図を示したものである。
【００３０】
カットテープ２０Ａは、カットテープ１０Ａとほぼ同じテープ幅を有する断面略矩形状のテープ基部２１を備えている。このテープ基部２１には凹条部が形成されておらず、カットテープ２０Ａはテープ長手方向に沿った切り裂きができないようになっている。
また、カットテープ２０Ａは、テープ基部２１に、取り付け面となる側面２１−１，２１−２を有している。
この実施例２における一対のカットテープ１Ａの取り付け状態は以下のようになっている。
【００３１】
カットテープ１０Ａは、側面１１ａ−１，１１ｂ−１，１１ｃ−１をフィルム１０１の内側１０１ａにタイトシール層を介して融着させることで取り付けられ、カットテープ２０Ａは、側面２１−１をフィルム１０２の内側１０２ａにタイトシール層を介して融着させることで取り付けられている。
また、カットテープ１０Ａとカットテープ２０Ａの間では、側面１１ａ−２，１１ｃ−２を側面２１−２とタイトシール層を介して融着状態とし、側面１１ｂ−２を側面２１−２とイージーピール層を介して融着状態としてある。
なお、図示していないが、包装袋１００Ｂの中央部１３０におけるカットテープ１０Ａとカットテープ２０Ａの間では、側面１１ｃ−２と側面２１−２とは非融着状態となっているものの、それ以外は、上記と同様な融着の組合せとなっている。
【００３２】
このような融着の有無の組合せと、カットテープ１０Ａ及びカットテープ２０Ａそれぞれの有する形態とにより、以下に示すような開封形式に対応することができる。
【００３３】
具体的には、カットテープ２０Ａは、凹条部を備えていないうえに、カットテープ１０Ａとほぼ同じテープ幅を有することから、凹条部１２又は凹条部１３に対応する線上を作用点とする切り裂き力を開口部１１０に加えても、カットテープ２０Ａが凹条部１２及び凹条部１３の切断を妨げることから、切り裂き力を加える開封が阻害されることになる。
【００３４】
一方、凹条部１２と凹条部１３との間に挟まれた帯状領域（凸条部１１ｂ）の一端部を包装袋１００Ｂの外方（フィルム１０１側）に引っ張る、引張り力を加えることで、凹条部１２と凹条部１３が切断線となり、ポケット開封タイプの切り口Ｃ１−Ｃ２を形成することができる。
つまり、ほぼ等しいテープ幅からなる、カットテープ１０Ａと、凹条部を有しないカットテープ２０Ａとの組合せからなる一対のカットテープ１Ａを、上述した融着の組合せにより、包装袋１００Ｂの開口部１１０に対向させて取り付けることで、引っ張り開封形式（ポケット開封タイプ）専用の包装袋１００Ｂを提供することができるのである。
なお、包装袋１００Ｂの中央部１３０における側面１１ｂ−２と側面２１−２とをイージーピール層を介して融着状態としたが、非融着状態としてもよい。
【００３５】
図５は、カットテープ１０Ａと、凹条部を有するカットテープ２０Ｂとの組合せからなる一対のカットテープ１Ｂを、包装袋１００Ｃの開口部１１０に対向させて取り付けた実施例３である。なお、図５は、図２におけるＡ−Ａに相当する断面図で、包装袋１００Ｃのサイドシール部１２０における断面図を示したものである。
【００３６】
カットテープ２０Ｂは、カットテープ１０Ａとほぼ同じテープ幅を有する断面略矩形状のテープ基部２１を有するとともに、そのテープ基部２１にテープ長手方向に沿って凹設された一の凹条部２２が形成されている。
これにより、凹条部２２に沿った切り裂きにより、テープ基部２１が凹条部２２よりも厚肉形成された凸条部２１ａ，２１ｂの少なくとも二条に分割されることになる。
また、カットテープ２０Ｂは、凸条部２１ａ，２１ｂに、それぞれ取り付け面となる側面２１ａ−１，２、２１ｂ−１，２を有している。
この実施例３における一対のカットテープ１Ｂの取り付け状態は以下のようになっている。
【００３７】
カットテープ１０Ａは、側面１１ａ−１，１１ｂ−１，１１ｃ−１をフィルム１０１の内側１０１ａにタイトシール層を介して融着させることで取り付けられ、カットテープ２０Ｂは、側面２１ａ−１，２１ｂ−１をフィルム１０２の内側１０２ａにタイトシール層を介して融着させることで取り付けられている。
また、カットテープ１０Ａとカットテープ２０Ｂの間では、側面１１ｂ−２と側面２１ｂ−２のみイージーピール層を介して融着されているが、側面１１ａ−２，１１ｃ−２と側面２１ａ−２，２１ｂ−２はタイトシール層を介して融着されている。
なお、図示していないが、包装袋１００Ｃの中央部１３０におけるカットテープ１０Ａとカットテープ２０Ａの間では、側面１１ｃ−２と側面２１ｂ−２とは非融着状態となっているものの、それ以外は、上記と同様な融着の組合せとなっている。
【００３８】
このような融着の有無の組合せと、カットテープ１０Ａ及びカットテープ２０Ｂそれぞれの有する形態とにより、以下に示すような開封形式に対応することができる。
【００３９】
具体的には、凹条部１２と凹条部２２は、開口部１１０においてほぼ同じ高さに対向配置されている。
これにより、凹条部１２及び凹条部２２に対応する線上（Ａ１−Ａ２）を作用点とする切り裂き力を開口部１１０に加えることで、凹条部１２と凹条部２２が切断線となり、高さの揃った直線カットタイプの切り口Ａ１−Ａ２が形成されることになる。
【００４０】
また、凹条部１２と凹条部１３との間に挟まれた帯状領域（凸条部１１ｂ）の一端部を包装袋１００Ｃの外方（フィルム１０１側）に引っ張る、引張り力を加えることで、凹条部１２と凹条部１３が切断線となり、ポケット開封タイプの切り口Ｃ１−Ｃ２が形成されることになる。
【００４１】
なお、包装袋１００Ｃの中央部１３０において、カットテープ１０Ａの側面１１ｂ−２をカットテープ２０Ｂの側面２１ｂ−２に融着しない形態とした場合には、以下のような開封形式に対応することが可能となる。
例えば、凹条部１３を、凹条部１２よりも薄肉形成し、当該凹条部１３と対向配置されるテープ基部２１の部位２３を、当該テープ基部２１の凹条部２２よりも厚肉形成する。
これにより、凹条部１３及び部位２３に対応する線上（Ｂ１）を作用点とする切り裂き力を開口部１１０に加えることで、凹条部１３と凹条部２２が切断線となり、段差を有する段違いタイプの切り口Ｂ１−Ａ２が形成されることになる。
【００４２】
このように実施例２，３の包装袋１００Ｂ，１００Ｃは、カットテープ１０Ａとカットテープ２０Ａ，２０Ｂからなる一対のカットテープ１Ａ，２Ａを開口部１１０に取り付けることで、複数の開封形式に対応できるようになっている。
【００４３】
［ジッパーテープ］
次に、ジッパーテープ２Ａ，２Ｂ，２Ｃを、包装袋１００（１００Ｄ〜１００Ｆ）の開口部１１０に取り付けた実施例４〜６について、図６〜８を参照しながら説明する。
【００４４】
最初に、ジッパーテープ２Ａ，２Ｂ，２Ｃの共通する構成について説明する。
ジッパーテープ２Ａ，２Ｂ，２Ｃは、一対の咬合部２が互いに雄雌咬合することにより、包装袋１００の開口部１１０を開閉可能にするという、ジッパーテープとしての基本的な機能を発揮しながら、一対のジッパーテープ２Ａ，２Ｂ，２Ｃのうち少なくとも一方において、テープ幅方向一端にカットテープ１０Ａ，１Ａ，１Ｂを備えることにより、前述した実施例１〜３と同様な作用効果を発揮し、複数の開封形式に対応可能に構成されている。
【００４５】
具体的には、ジッパーテープ２Ａ，２Ｂ，２Ｃは、図６〜８に示すように、雄側テープ１０Ｂと、雌側テープ２０Ｃ，２０Ｄ，２０Ｅとを組合せた一対のジッパーテープからなる。
咬合部２は、雄側テープ１０Ｂのテープ長手方向に沿って形成された雄断面形状を有する雄部１５と、雌側テープ２０Ｃ，２０Ｄ，２０Ｅのテープ長手方向に沿って形成された雌断面形状を有する雌部２４とからなり、これらが、各図に示すような雄雌咬合状態となることで、開口部１１０が内容物を取り出し不能に閉口され、雄部１５と雌部２４とが離間した咬合解除状態となることで、開口部１１０が内容物を取り出し可能に開口されるという、ジッパーテープとしての基本的な機能を発揮する。
【００４６】
また、雄側テープ１０Ｂは、各図に示すように、側面１１ｃ−２に雄部１５を有する点、この雄部１５を有するがために側面１１ｃ−２が取り付け面として機能しない点が相違するものの、その他はカットテープ１０Ａと共通の形態を有している。すなわち、雄側テープ１０Ｂは、テープの幅方向一端にカットテープ１０Ａを備えている。
これにより、雄側テープ１０Ｂがジッパーテープ２Ａ，２Ｂ，２Ｃにおいて、カットテープ１０Ａと同様な作用効果を発揮することになる。
【００４７】
一方、雌側テープ２０Ｃ，２０Ｄ，２０Ｅは、各図に示すように、ベースとなる断面略矩形状のテープ基部２１を備えるともに、側面２１−１，２を有し、側面２１−２（２１ｂ−２）に雌部２４を有している。
また、雌側テープ２０Ｄ，２０Ｅは、側面２１−２，２１ｂ−２に雌部２４を有する点が相違するものの、雌側テープ２０Ｄはカットテープ２０Ａと、雌側テープ２０Ｅはカットテープ２０Ｂと共通の形態を有している。
すなわち、雌側テープ２０Ｄ，２０Ｅは、それぞれテープの幅方向一端にカットテープ２０Ａ，２０Ｂを備えている。
これにより、雌側テープ２０Ｄ，２０Ｅは、ジッパーテープ２Ａ，２Ｂ，２Ｃにおいて、それぞれカットテープ２０Ａ，２０Ｂと同様な作用効果を発揮するようになっている。
このような構成からなる雄側テープ１０Ｂと雌側テープ２０Ｃ，２０Ｄ，２０Ｅとの組合せからなるジッパーテープ２Ａ，２Ｂ，２Ｃを、包装袋１００（１００Ｄ〜１００Ｆ）の開口部１１０に取り付けることで、以下に示すように、複数の開封形式に対応することができる。
【００４８】
図６は、雄側テープ１０Ｂと、雌側テープ２０Ｃとの組合せからなるジッパーテープ２Ａを、包装袋１００Ｄの開口部１１０に取り付けた実施例４である。なお、図６は、図２におけるＡ−Ａに相当する断面図で、包装袋１００Ｄのサイドシール部１２０における断面図を示したものである。
雌側テープ２０Ｃは、雄側テープ１０Ｂの凸条部１１ｃとほぼ等しいテープ幅で形成され、凹条部１２又は凹条部１３に対応する線上を作用点とする切り裂き力の影響を受けないようになっている。
この実施例４における一対のジッパーテープ２Ａの取り付け状態は以下のようになっている。
【００４９】
雄側テープ１０Ｂは、側面１１ａ−１，１１ｂ−１をフィルム１０１の内側１０１ａに、側面１１ａ−２をフィルム１０２の内側１０２ａにタイトシール層を介して融着させることで取り付けられている。
また、側面１１ｃ−１は、その上下端部で部分的にタイトシール層を介して融着され、側面１１ｂ−２は、フィルム１０２の内側１０２ａにイージーピール層を介して融着されている。
雌側テープ２０Ｃは、その側面２１−１の上下端部で部分的にタイトシール層を介してフィルム１０２の内側１０２ａに融着させることで取り付けられている。
なお、包装袋１００Ｄの中央部１３０においても、上記と同様な融着の組合せとなっている。
【００５０】
このような融着の有無の組合せと、雄側テープ１０Ｂの有する特徴的な形態とは、前述の実施例１と同様であることから（図３参照）、実施例１と同様、雄側テープ１０Ｂがカットテープ１０Ａと同様な作用効果を発揮することにより、開口部１１０に加える外力の位置及びその態様に応じて、Ａ１−Ａ２、Ｂ１−Ｂ２、Ｃ１−Ｃ２からなる複数の開封形式に対応できるようになっている。
さらに、包装袋１００Ｄの中央部１３０において、雄側テープ１０Ｂの側面１１ｂ−２をフィルム１０２の内側１０２ａに融着させず、フィルム１０１，１０２において各凹条部１２，１３に対応する部分ａ１，ａ２，ｂ１，ｂ２に、脆弱な領域（例えば、ハーフカット線）を所定の組合せで設けることにより、段差を有する切り口（例えば、Ａ１−Ｂ２、Ｂ１−Ａ２など）を形成することもできる。
【００５１】
図７は、雄側テープ１０Ｂと、凹条部を有しないカットテープ２０Ａと共通の形態を備える雌側テープ２０Ｄとの組合せからなる一対のジッパーテープ２Ｂを、包装袋１００Ｅの開口部１１０に対向させて取り付けた実施例５である。
なお、図７は、図２におけるＡ−Ａに相当する断面図で、包装袋１００Ｅのサイドシール部１２０における断面図を示したものである。
この実施例５における一対のジッパーテープ２Ｂの取り付け状態は以下のようになっている。
【００５２】
雄側テープ１０Ｂは、側面１１ａ−１，１１ｂ−１をフィルム１０１の内側１０１ａにタイトシール層を介して融着させ、側面１１ｃ−１をその上下端部でフィルム１０１の内側１０１ａに部分的にタイトシール層を介して融着させることで取り付けられている。
雌側テープ２０Ｄは、側面２１−１をフィルム１０２の内側１０２ａにタイトシール層を介して融着させることで取り付けられているものの、咬合部２近傍の側面２１−１では、咬合部２の上下端部を除いて非融着状態となっている。
また、雄側テープ１０Ｂと雌側テープ２０Ｄの間では、側面１１ａ−２と側面２１−２とがタイトシール層を介して融着されており、側面１１ｂ−２と側面２１−２とがイージーピール層を介して融着されている。
なお、包装袋１００Ｅの中央部１３０においても、上記と同様な融着の組合せとなっている。
【００５３】
このような融着の有無の組合せと、雄側テープ１０Ｂの有する特徴的な形態とは、前述の実施例２と同様であることから（図４参照）、実施例２と同様、雄側テープ１０Ｂがカットテープ１０Ａ，２０Ａと同様な作用効果を発揮することにより、凹条部１２と凹条部１３が切断線となり、ポケット開封タイプの切り口Ｃ１−Ｃ２を形成することができる。
【００５４】
図８は、雄側テープ１０Ｂと、凹条部を有するカットテープ２０Ｂと共通の形態を備える雌側テープ２０Ｅとの組合せからなる一対のジッパーテープ２Ｃを、包装袋１００Ｆの開口部１１０に対向させて取り付けた実施例６である。
なお、図８は、図２におけるＡ−Ａに相当する断面図で、包装袋１００Ｆのサイドシール部１２０における断面図を示したものである。
この実施例６における一対のジッパーテープ２Ｃの取り付け状態は以下のようになっている。
【００５５】
雄側テープ１０Ｂは、側面１１ａ−１，１１ｂ−１をフィルム１０１の内側１０１ａにタイトシール層を介して融着させ、側面１１ｃ−１をその上下端部で部分的にフィルム１０１の内側１０１ａにタイトシール層を介して融着させることで取り付けられている。
雌側テープ２０Ｅは、側面２１ａ−１をフィルム１０２の内側１０２ａにタイトシール層を介して融着させるとともに、側面２１ｂ−１をフィルム１０２の内側１０２ａに咬合部２近傍を除きタイトシール層を介して融着させることで取り付けられている。
また、雄側テープ１０Ｂと雌側テープ２０Ｅの間では、側面１１ａ−２と側面２１ａ−２がタイトシール層を介して融着されており、側面１１ｂ−２と側面２１ｂ−２がイージーピール層を介して融着されている。
なお、包装袋１００Ｆの中央部１３０においても、上記と同様な融着の組合せとなっている。
【００５６】
このような融着の有無の組合せと、雄側テープ１０Ｂ及び雌側テープ２０Ｅそれぞれが有する特徴的な形態は、前述の実施例３と同様であることから（図５参照）、実施例３と同様、雄側テープ１０Ｂ及び雌側テープ２０Ｅがカットテープ１０Ａ，２０Ｅと同様な作用効果を発揮することにより、複数の開封形式に対応できるようになっている。
【００５７】
さらに、実施例６では、雌側テープ２０Ｅの凹条部２２は、カットテープ２０Ｂの凹条部２２と異なり、部位２３から離間するに従って徐々に薄肉となるように形成してある。
これにより、切り裂き力は、前述のカットテープ２０Ｂの凹条部２２では、上下二箇所のエッジに分散されるものの（図５参照）、雌側テープ２０Ｅの凹条部２２では、エッジ２２ｂの一点に集中することになる。
【００５８】
また、徐々に薄肉となる始点２２ａの位置は、適宜調整することができる。また、部位２３に近づくにつれて除々に薄肉となるように形成してもよい。
【００５９】
以上のような構成からなるカットテープ１０Ａ，１Ａ，１Ｂ、及びジッパーテープ２Ａ，２Ｂ，２Ｃは、その材質を限定するものではないが、低密度ポリエチレン、直鎖状低密度ポリエチレン、ポリプロピレン等のポリオレフィン系樹脂を採用することができ、公知の異形押し出し成形法などにより製造することができる。
【００６０】
［包装袋］
カットテープ１０Ａ，１Ａ，１Ｂ、及びジッパーテープ２Ａ，２Ｂ，２Ｃを開口部１１０の内側に取り付けた包装袋１００（１００Ａ〜１００Ｆ）は、カットテープ１０Ａ，１Ａ，１Ｂ、及びジッパーテープ２Ａ，２Ｂ，２Ｃと同様なポリオレフィン系樹脂で形成されたフィルム１０１，１０２の周縁（サイドシール部１２０を含む底シール部）をヒートシールすることにより、平パウチ形式の袋体として形成したものである。
これらの包装袋１００（１００Ａ〜１００Ｆ）には、図２に示すように、図中上方に位置する開口部１１０と、サイドシール部１２０と、包装袋１００の中央部１３０であって内容物の充填される収納部とが形成され、カットテープ１０Ａ，１Ａ，１Ｂ、及びジッパーテープ２Ａ，２Ｂ，２Ｃのうちのいずれかが、開口部１１０の内側１０１ａ，１０２ａに熱プレス等により融着される。
【００６１】
また、包装袋１００のサイドシール部１２０には、包装袋１００の開封形式に応じて適宜、開封開始部を設ける必要がある。例えば、包装袋１００を切り裂き開封する場合には、サイドシール部１２０の端部に開封開始部となるノッチ（切り欠き部）を形成すればよいし、包装袋１００を引っ張り開封する場合には、サイドシール部１２０の端部に開封開始部となるタブ（摘み片）を形成すればよい。
【００６２】
このように、包装袋１００は、一の形態からなるカットテープ１０Ａ，１Ａ，１Ｂ、及びジッパーテープ２Ａ，２Ｂ，２Ｃを開口部１１０に有しながらも、それぞれ態様の異なる開封形式を実現可能に構成されている。
これにより、包装袋１００に収納される内容物、包装袋の用途や機能に応じて、開封形式を使い分けることができる。
【００６３】
以上説明したように、本実施形態のカットテープ１０Ａ，１Ａ，１Ｂ，ジッパーテープ２Ａ，２Ｂ，２Ｃ、及びこれらのテープを取り付けた包装袋１００（１００Ａ〜１００Ｆ）によれば、テープの取り付け態様、凹条部の配置及びその厚薄の組合せによって、切り裂き開封のみならず引っ張り開封も可能とし、さらに、切り裂き開封したときの切り口の高さを揃えるか、又は段差を設けるかのいずれかの態様を選択可能とすることで、一のテープ形態でありながも複数の開封形式に対応することができる。
これにより、各テープ及び包装袋の製造・管理において、一元的な取り扱いが可能となり、製造コストや管理コストを低減させることができる。
【００６４】
以上、本発明について、実施形態を示して説明したが、本発明は、上述した実施形態にのみ限定されるものではなく、特許請求の範囲内で種々の変更が可能であることはいうまでもない。
【００６５】
例えば、本実施形態の包装袋１００では、平パウチ形式の袋体としたが、スタンディングパウチ形式の袋体を採用することもできる。
また、包装袋１００の開口部１１０に取り付けるテープは、カットテープ１０Ａ，１Ａ，１Ｂ、及びジッパーテープ２Ａ，２Ｂ，２Ｃのうちのいずれでもよい。
【００６６】
また、本実施形態の凹条部を、図１〜図８に示すように、略コの字状の断面形状で形成したが、Ｖ字状、Ｕ字状などの断面形状を有する凹条部を採用することができ、切り裂き可能に薄肉形成された凹条部であれば、その形態は問わない。
また、本実施形態の凹条部１２，１３，２２は、図１〜図８に示すように、フィルムの内側１０１ａ，１０２ａに面する側のみならず、内容物側も薄肉形成された構成としたが、いずれか一方側のみ薄肉形成した凹条部としてもよい。
【００６７】
さらに、本実施形態では、雄側テープ１０Ｂにおいて、凸条部１１ｃに相当する箇所に雄部１５を設ける構成について説明したが、雄部１５の形成箇所はこれに限らず、例えば、図９に示すように、凸条部１１ｃよりも厚みの薄い帯状テープ１４を凸条部１１ｃ側に連結し、この帯状テープ１４に雄部１５を設ける構成としてもよい。
【産業上の利用可能性】
【００６８】
本発明は、開封に際して案内を必要とする包装袋に広く利用することができる。
【符号の説明】
【００６９】
１Ａ，１Ｂ  カットテープ（一対のカットテープ）
２Ａ，２Ｂ，２Ｃ  ジッパーテープ
１０Ａ  カットテープ（一方のカットテープ）
２０Ａ，２０Ｂ  カットテープ（他方のカットテープ）
１０Ｂ  雄側テープ（ジッパーテープ）
２０Ｃ，２０Ｄ，２０Ｅ  雌側テープ（ジッパーテープ）
１１  テープ基部
２１  テープ基部
１２，１３，２２  凹条部
１００  包装袋
１１０  開口部
１２０  サイドシール部
１３０  中央部
【図１】
0006041494.tif 000002
【図２】
0006041494.tif 000003
【図３】
0006041494.tif 000004
【図４】
0006041494.tif 000005
【図５】
0006041494.tif 000006
【図６】
0006041494.tif 000007
【図７】
0006041494.tif 000008
【図８】
0006041494.tif 000009
【図９】
0006041494.tif 000010